(57)【要約】【課題】電子会議における議論の要点を高精度に捉え、当該議論の振り返りを容易にする。【解決手段】電子会議管理装置１００において、電子付箋に対する移動操作に応じて当該電子付箋の移動処理を行った場合、当該電子付箋と他の電子付箋との距離に基づいて、当該電子付箋を複数の電子付箋からなるグループに割り当てる処理か、所属グループからの当該電子付箋の分離処理を行う付箋グループ検出部２１２と、表示中のグループ総数が変化した場合、当該変化の時点を話題変化点として検出する話題変化点検出部２１３と、話題変化点における電子付箋の配置状態を表示する会議内容表示部２２３を含む構成とする。
2018015992.tif 000002
【特許請求の範囲】
【請求項１】
所定の表示装置にて電子付箋を表示する電子会議管理装置であって、
所定装置から受け付けた電子付箋に対する移動操作に応じ、当該電子付箋の移動処理を行った場合、当該電子付箋と他の電子付箋との距離に基づいて、当該電子付箋を複数の電子付箋からなるグループに割り当てる処理か、または、所属グループからの当該電子付箋の分離処理を行う、付箋グループ検出部と、
前記表示装置に表示中の前記グループの総数が変化した場合、当該変化の時点を話題変化点として検出する話題変化点検出部と、
前記話題変化点における電子付箋の配置状態を、前記表示装置にて表示する会議内容表示部と、
を有することを特徴とする電子会議管理装置。
【請求項２】
前記付箋グループ検出部は、
前記移動処理を行った電子付箋から所定距離以内に存在する他の電子付箋を特定し、当該特定した他の電子付箋が、所定グループに所属している場合、当該電子付箋を前記他の電子付箋の所属グループへと割当て、前記他の電子付箋が所定グループに所属していない場合、当該電子付箋と前記他の電子付箋からなる新たなグループを生成するものである、
ことを特徴とする請求項１に記載の電子会議管理装置。
【請求項３】
前記付箋グループ検出部は、
前記移動処理を行った電子付箋から所定距離以内に存在する他の電子付箋が複数存在した場合、前記他の電子付箋のうち直近で移動が行われたものの所属するグループに、当該電子付箋を割り当てるものである、
ことを特徴とする請求項２に記載の電子会議管理装置。
【請求項４】
前記付箋グループ検出部は、
前記移動処理を行った電子付箋が所定種別の電子付箋である場合、当該電子付箋から所定距離以内に存在する他の電子付箋を特定し、当該特定した他の電子付箋が、前記所定種別と同一種別の他の電子付箋のグループに所属している場合、前記特定した他の電子付箋を当該グループから分離し、当該分離した電子付箋と前記移動処理を行った電子付箋からなる新たなグループを生成するものである、
ことを特徴とする請求項１に記載の電子会議管理装置。
【請求項５】
前記付箋グループ検出部は、
所定装置から受け付けた、電子付箋群に対するグルーピング操作に応じ、当該電子付箋群で構成されるグループを生成する処理を行うものである、
ことを特徴とする請求項１に記載の電子会議管理装置。
【請求項６】
前記付箋グループ検出部は、
前記移動処理の後の電子付箋と、前記所属グループへの割当てまたは前記新たなグループの生成の対象となった前記他の電子付箋との距離が、所定基準を超えるものであった場合、前記移動処理の後の電子付箋の配置位置を、前記他の電子付箋から前記所定基準の距離範囲の位置まで移動させる処理を行うものである、
ことを特徴とする請求項１に記載の電子会議管理装置。
【請求項７】
所定の表示装置にて電子付箋を表示する電子会議管理装置が、
所定装置から受け付けた電子付箋に対する移動操作に応じ、当該電子付箋の移動処理を行った場合、当該電子付箋と他の電子付箋との距離に基づいて、当該電子付箋を複数の電子付箋からなるグループに割り当てる処理か、または、所属グループからの当該電子付箋の分離処理を行う、付箋グループ検出処理と、
前記表示装置に表示中の前記グループの総数が変化した場合、当該変化の時点を話題変化点として検出する話題変化点検出処理と、
前記話題変化点における電子付箋の配置状態を、前記表示装置にて表示する会議内容表示処理と、
を実行することを特徴とする電子会議管理方法。
【請求項８】
前記電子会議管理装置が、
前記付箋グループ検出処理において、
前記移動処理を行った電子付箋から所定距離以内に存在する他の電子付箋を特定し、当該特定した他の電子付箋が、所定グループに所属している場合、当該電子付箋を前記他の電子付箋の所属グループへと割当て、前記他の電子付箋が所定グループに所属していない場合、当該電子付箋と前記他の電子付箋からなる新たなグループを生成する、
ことを特徴とする請求項７に記載の電子会議管理方法。
【請求項９】
前記電子会議管理装置が、
前記付箋グループ検出処理において、
前記移動処理を行った電子付箋から所定距離以内に存在する他の電子付箋が複数存在した場合、前記他の電子付箋のうち直近で移動が行われたものの所属するグループに、当該電子付箋を割り当てる、
ことを特徴とする請求項８に記載の電子会議管理方法。
【請求項１０】
前記電子会議管理装置が、
前記付箋グループ検出処理において、
前記移動処理を行った電子付箋が所定種別の電子付箋である場合、当該電子付箋から所定距離以内に存在する他の電子付箋を特定し、当該特定した他の電子付箋が、前記所定種別と同一種別の他の電子付箋のグループに所属している場合、前記特定した他の電子付箋を当該グループから分離し、当該分離した電子付箋と前記移動処理を行った電子付箋からなる新たなグループを生成する、
ことを特徴とする請求項７に記載の電子会議管理方法。
【請求項１１】
前記電子会議管理装置が、
前記付箋グループ検出処理において、
所定装置から受け付けた、電子付箋群に対するグルーピング操作に応じ、当該電子付箋群で構成されるグループを生成する処理を行う、
ことを特徴とする請求項７に記載の電子会議管理方法。
【請求項１２】
前記電子会議管理装置が、
前記付箋グループ検出処理において、
前記移動処理の後の電子付箋と、前記所属グループへの割当てまたは前記新たなグループの生成の対象となった前記他の電子付箋との距離が、所定基準を超えるものであった場合、前記移動処理の後の電子付箋の配置位置を、前記他の電子付箋から前記所定基準の距離範囲の位置まで移動させる処理を行う、
ことを特徴とする請求項７に記載の電子会議管理方法。
【発明の詳細な説明】
【技術分野】
【０００１】
本発明は、電子会議管理装置および電子会議管理方法に関する。
【背景技術】
【０００２】
電子黒板、タブレット端末などの電子機器の発達に伴い、会議を電子化する取り組みがなされている。会議を電子化するメリットの一つに、会議内容の振り返りの容易化がある。  これに関連する従来技術として、例えば、画面へ各資料を表示させる操作を含む前記各資料に対する各種操作が入力される入力手段と、前記各種操作を前記画面に反映させる画面処理手段と、前記各種操作の内容を前記資料毎に関連づけて蓄積するテーブル記憶部と、前記各種操作の内容に応じた値をパラメータとして、前記テーブル記憶部で関連づけられた前記各資料の評価値を算出する算出手段と、前記評価値に基づき、前記各資料を絞り込んで一つの文書データに掲載するサマリ生成手段とを備えるサマリ作成装置（特許文献１参照）などが提案されている。
【先行技術文献】
【特許文献】
【０００３】
【特許文献１】特開２００９−６４２７５号広報
【発明の概要】
【発明が解決しようとする課題】
【０００４】
電子会議において、会議参加者やファシリテーターの各意見を、付箋形式のオブジェクトとしてインタフェース上で表示させる場合、例えば類似内容に関する付箋同士を、議論の進行や変転に応じて集約し、当該議論を収束させる等の操作が行われる。【０００５】
こうした付箋同士の集約動作を時系列で俯瞰すれば、議論の流れや話題の変化を指し示すものとなりうる。また、電子会議終了後に、そうした議論の振り返りを行えれば、議論の結論だけを確認した場合と異なり、結論に至る経緯と当該結論の背景といった情報も確認出来ることになる。しかしながら従来技術においては、そもそも議論を収束させるための機能を備えておらず、上述した話題変化や議論の振り返りといった機能も当然提供出来ない。【０００６】
そこで本発明の目的は、電子会議における議論の要点を高精度に捉え、当該議論の振り返りを容易にする技術を提供することにある。
【課題を解決するための手段】
【０００７】
上記課題を解決する本発明の電子会議管理装置は、所定の表示装置にて電子付箋を表示する電子会議管理装置であって、所定装置から受け付けた電子付箋に対する移動操作に応じ、当該電子付箋の移動処理を行った場合、当該電子付箋と他の電子付箋との距離に基づいて、当該電子付箋を複数の電子付箋からなるグループに割り当てる処理か、または、所属グループからの当該電子付箋の分離処理を行う、付箋グループ検出部と、前記表示装置に表示中の前記グループの総数が変化した場合、当該変化の時点を話題変化点として検出する話題変化点検出部と、前記話題変化点における電子付箋の配置状態を、前記表示装置にて表示する会議内容表示部と、を有することを特徴とする。【０００８】
また、本発明の電子会議管理方法は、所定の表示装置にて電子付箋を表示する電子会議管理装置が、所定装置から受け付けた電子付箋に対する移動操作に応じ、当該電子付箋の移動処理を行った場合、当該電子付箋と他の電子付箋との距離に基づいて、当該電子付箋を複数の電子付箋からなるグループに割り当てる処理か、または、所属グループからの当該電子付箋の分離処理を行う、付箋グループ検出処理と、前記表示装置に表示中の前記グループの総数が変化した場合、当該変化の時点を話題変化点として検出する話題変化点検出処理と、前記話題変化点における電子付箋の配置状態を、前記表示装置にて表示する会議内容表示処理と、を実行することを特徴とする。
【発明の効果】
【０００９】
本発明によれば、電子会議における議論の要点を高精度に捉え、当該議論の振り返りを容易にすることができる。
【図面の簡単な説明】
【００１０】
【図１】本実施形態における電子会議管理装置の構成例を示す図である。
【図２】本実施形態の電子会議管理プログラムとデータの構成例を示す図である。
【図３】本実施形態の付箋登録部の画面表示の例を示す図である。
【図４】本実施形態の付箋データ格納部が持つデータ構造例を示す図である。
【図５】本実施形態の付箋編集部の画面表示の例を示す図である。
【図６】本実施形態の付箋移動履歴格納部が持つデータ構造例を示す図である。
【図７】本実施形態の付箋グループ検出部が行う処理フローの例を示す図である。
【図８】本実施形態の付箋グループ情報格納部が持つデータ構造例を示す図である。
【図９】本実施形態の話題変化点検出部が行う処理フローの例を示す図である。
【図１０】本実施形態の話題変化点格納部が持つデータ構造例を示す図である。
【図１１】本実施形態の会議内容表示部が行う処理フローの例を示す図である。
【図１２】本実施形態の会議内容表示部の画面表示の例を示す図である。
【図１３】本実施形態の会議内容表示部における画面切り替えの例を示す図である。
【図１４】本実施形態の付箋登録部の画面表示の例を示す図である。
【図１５】本実施形態の付箋データ格納部が持つデータ構造例を示す図である。
【図１６】本実施形態の付箋グループ検出部が行う処理フローの例を示す図である。
【図１７】本実施形態の付箋グループ検出部が行う処理フローの例を示す図である。
【図１８】本実施形態の付箋編集部の画面表示の例を示す図である。
【図１９】本実施形態の付箋グループ検出部が行う処理フローの例を示す図である。
【図２０】本実施形態の付箋編集部の画面表示の例を示す図である。
【発明を実施するための形態】
【００１１】
−−−電子会議管理装置の構成例−−−
【００１２】
以下、本実施形態の電子会議管理技術について図面とともに説明する。なお、本実施形態において、実質的に同一の機能及び構成を有する構成要素については、同一の符号を付することにより重複説明を省略する。
【００１３】
図１は本実施形態における電子会議管理装置１００の構成例を示す図である。本実施形態における電子会議管理装置１００は、ＣＰＵ１０１、主記憶装置１０２、補助記憶装置１０３、入力装置１０４、出力装置１０５、およびネットワークインタフェース１０６から構成されている。
【００１４】
このうちＣＰＵ１０１は、主記憶装置１０２に記憶された電子会議管理プログラム１０２１の命令を受けて、電子会議管理プログラム１０２１におけるデータの読込、計算、データの書き込みなどを行う。
【００１５】
また、主記憶装置１０２には電子会議管理装置１００において処理されるデータ及びプログラム全体が格納される。主記憶装置１０２は例えばＲＡＭ（Ｒａｎｄｏｍ  Ａｃｃｅｓｓ  Ｍｅｍｏｒｙ）などである。補助記憶装置１０３には電子会議管理装置１００において処理されるデータ及びプログラム全体が格納される。補助記憶装置１０３は例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）などである。
【００１６】
また、入力装置１０４は、電子会議管理装置１００へのユーザからの命令を受け取り、ＣＰＵ１０１に伝達する装置である。入力装置１０４は例えばマウス、キーボードなどである。出力装置１０５は電子会議管理装置１００におけるユーザインタフェース画面を表示する装置である。出力装置１０５は例えば液晶ディスプレイなどである。
【００１７】
また、ネットワークインタフェース１０６は、インターネットやＬＡＮ（Ｌｏｃａｌ  Ａｒｅａ  Ｎｅｔｗｏｒｋ）など適宜なネットワークにアクセスし、会議参加者の端末等との間で電子付箋に関する適宜なデータの送受信を行う。ネットワークインタフェース１０６は例えばＬＡＮ（Ｌｏｃａｌ  Ａｒｅａ  Ｎｅｔｗｏｒｋ）カードなどである。
【００１８】
図１で例示した電子会議管理装置１００の各装置１０１〜１０６は、バス１０７によって接続されている。よって、各装置１０１〜１０６は、当該バス１０７を経由してデータ及びプログラムの入出力を行う。
【００１９】
図２は、本実施形態における電子会議管理プログラム１０２１とデータの構成例を示す図である。図２に示す構成例において、付箋データ格納部２０１、付箋移動履歴格納部２０２、付箋グループ情報格納部２０３、および話題変化点格納部２０４は、電子会議管理プログラム１０２１によって処理されるデータを格納している記憶領域である。
【００２０】
また、電子会議管理プログラム１０２１は、付箋移動処理部２１１、付箋グループ検出部２１２、話題変化点検出部２１３、付箋登録部２２１、付箋編集部２２２、および、会議内容表示部２２３、の各プログラムを含んでいる。
【００２１】
上述の各プログラムのうち、付箋グループ検出部２１２、話題変化点検出部２１３、および会議内容表示部２２３は、データ記憶部２１０に記憶されるデータを入力として、入力データの分析を行い、分析結果を出力するプログラムである。一方、付箋移動処理部２１１、付箋登録部２２１、および付箋編集部２２２は、ユーザからの命令の受信や分析結果の表示など、ユーザインタフェースに関わる処理を実施する。
【００２２】
なお、上述のデータ記憶部２１０に記憶されるデータとしては、付箋データ格納部２０１、付箋移動履歴格納部２０２、付箋グループ情報格納部２０３、および話題変化点格納部２０４の各格納データを想定するが、これらの詳細については後述する。
【００２３】
また、上述の各プログラム２１１〜２１３、２２１〜２２３及び各格納部２０１〜２０４のデータは、電子会議管理装置１００における主記憶装置１０２に記憶されるが、データ量などの必要に応じて補助記憶装置１０３に格納するとしてもよい。
【００２４】
続いて、上述の各プログラムによる機能と各格納部のデータに関して図に基づき説明する。図３は、本実施形態における付箋登録部２２１の画面表示の例を示す図である。
【００２５】
本実施形態の付箋登録部２２１は、ファシリテーターを含む各会議参加者たるユーザによる電子付箋の登録指示を、図３で例示する画面９００など適宜な入力インタフェースを介して、入力装置１０４や会議参加者の端末等から受付け、当該電子付箋の付箋データを付箋データ格納部２０１に格納する機能を備える。
【００２６】
図３にて示す画面９００は、本文入力部９０１および登録実行部９０２を有する。このうち本文入力部９０１は、付箋データの本文の入力を受け付けるインタフェースである。例えば、当該本文入力部９０１はテキストボックスである。
【００２７】
また登録実行部９０２は、ユーザの登録実行命令を受付け、本文入力部９０１に入力された本文を有する付箋データを、付箋データ格納部２０１に格納する。例えば、登録実行部９０２はボタンである。ユーザが登録実行部９０２のボタンを操作した際に、付箋データが付箋データ格納部２０１に格納される。なお、付箋データの格納において、Ｘ座標３０３及びＹ座標３０４には、例えば予め定められた初期座標を格納する。
【００２８】
上述の付箋登録部２２１による処理で付箋データが格納された付箋データ格納部２０１の例を図４に示す。図４は、本実施形態における付箋データ格納部２０１に格納されるデータの内容及びデータ構造の一例を説明する図である。
【００２９】
本実施形態の付箋データ格納部２０１には、上述の付箋登録部２２１によって登録された、会議参加者の意見を含む付箋データが格納される。この付箋データ格納部２０１には、付箋ＩＤ３０１をキーに、本文３０２、Ｘ座標３０３、およびＹ座標３０４、の各値を対応付けたエントリが格納されている。
【００３０】
このうち付箋ＩＤ３０１の値は、各会議参加者（ファシリテーター含む。以下同様）から意見等を受けるごとに、所定の初期値から順次インクリメントして割り当てたＩＤであって、付箋データを一意に特定するＩＤである。また、本文３０２の値は、上述の会議参加者の意見等である付箋データの本文である。
【００３１】
また、Ｘ座標３０３及びＹ座標３０４は、付箋編集部２２２及び会議内容表示部２２３において、当該付箋データが所定の座標面上で電子付箋として表示される座標である。電子会議管理装置１００は、付箋データにおける本文３０２の値を、適宜なアイコン（主記憶装置１０２または補助記憶装置１０３に予め保持）に設定して電子付箋のオブジェクトを構成し、このオブジェクトを出力装置１０５の座標平面上におけるＸ座標３０３、Ｙ座標３０４の該当位置に配置可能である。これらＸ座標３０３及びＹ座標３０４の各値は、上述したように所定のデフォルト値である場合や、或いは、当該電子会議管理装置１００を操作可能なファシリテーターが、各意見等に対応する電子付箋を、出力装置１０５の画面上で配置操作した際の座標値となる。
【００３２】
図５は、本実施形態における付箋編集部２２２の画面表示の例を示す図である。本実施形態における付箋編集部２２２は、上述の付箋データ格納部２０１に格納された付箋データを読み込んで、これに対応した電子付箋を出力装置１０５にて一覧表示させる機能を備える。また、当該付箋編集部２２２は、ユーザたるファシリテーターによる、移動対象の電子付箋が示す付箋データの付箋ＩＤ３０１と付箋データの移動先のＸ座標３０３及びＹ座標３０４の指定を、入力装置１０４にて受け付け、これらの情報を付箋移動処理部２１１に送る機能を備える。
【００３３】
図５にて示す画面１０００は、付箋表示部１００１と、この付箋表示部１００１に配置する電子付箋１０１１〜１０１４とから構成される。付箋表示部１００１に表示される電子付箋１０１１〜１０１４は、付箋編集部２２２が、付箋データ格納部２０１に格納された各付箋データの本文３０２を、電子付箋のオブジェクトに設定し、Ｘ座標３０３およびＹ座標３０４の対応位置に表示したものである。
【００３４】
また、付箋編集部２２２は、付箋表示部１００１で表示した電子付箋の移動に関するユーザ入力を入力装置１０４にて受け取る。例えば、当該ユーザ入力は、ファシリテーターによる、入力装置１０４たるマウスのドラッグ操作により行われる。
【００３５】
図５の例の場合、ファシリテーターは、付箋表示部１００１の電子付箋１０１１〜１０１４のうち電子付箋１０１４を、マウス操作にて当初位置から経路１０１６に沿ってドラッグさせ、所望の移動先まで移動させたものとしている。
【００３６】
こうした移動操作による電子付箋の移動が完了すると、付箋編集部２２２は、移動させた電子付箋に対応する付箋データの付箋ＩＤ３０１と、移動元と移動先のＸ座標及びＹ座標とを、付箋移動処理部２１１に送信する。
【００３７】
一方、付箋移動処理部２１１は、付箋編集部２２２から送信された、移動対象の付箋データのＩＤたる付箋ＩＤ３０１と、付箋データの移動元と移動先のＸ座標及びＹ座標の各値を受信し、付箋移動履歴格納部２０２に登録する。また、付箋移動処理部２１１は、付箋データ格納部２０１における当該付箋データのエントリにて、Ｘ座標とＹ座標を更新することになる。
【００３８】
図６は、付箋移動履歴格納部２０２に格納されるデータの内容及びデータ構造の一例を説明する図である。本実施形態における付箋移動履歴格納部２０２には、上述の付箋編集部２２２の入力を受けて、付箋移動処理部２１１によって行われる電子付箋の移動履歴が格納される。
【００３９】
こうした付箋移動履歴格納部２０２には、履歴ＩＤ４０１をキーに、移動付箋ＩＤ４０２、移動元Ｘ座標４０３、移動元Ｙ座標４０４、移動先Ｘ座標４０５、移動先Ｙ座標４０６、および移動時刻４０７、各値を対応付けたエントリが格納されている。
【００４０】
このうち履歴ＩＤ４０１の値は、付箋移動履歴を一意に特定するためのＩＤである。また、移動付箋ＩＤ４０２の値は、移動の対象となった電子付箋たる付箋データの付箋ＩＤ３０１である。
【００４１】
また、移動元Ｘ座標４０３及び移動元Ｙ座標４０４の値は、移動対象である電子付箋たる付箋データの、移動前の位置である。一方、移動先Ｘ座標４０５及び移動先Ｙ座標４０６の値は、移動対象である付箋データの、移動先すなわち移動後の位置である。また、移動時刻４０７の値は、当該電子付箋の移動が終了した時刻である。
【００４２】
なお、付箋グループ検出部２１２、話題変化点検出部２１３、および会議内容表示部２２３の詳細については図７以降の各図に基づき後述するものとする。
−−−フロー例１−−−
【００４３】
図７は、付箋グループ検出部２１２によって行われる処理フローの例を示す図である。ここで、付箋グループ検出部２１２は、上述の付箋移動処理部２１１による電子付箋の移動処理の終了を受けて、当該フローを開始するものとする。
【００４４】
当該フローにおける付箋グループ検出部２１２は、付箋移動処理部２１１において移動処理の対象となった電子付箋が、グループに所属するか判定する（Ｓ６００）。
【００４５】
当該ステップＳ６００における付箋グループ検出部２１２は、具体的には、付箋グループ情報格納部２０３において、所属付箋ＩＤ５０３の値中に、当該移動処理がなされた電子付箋を示す付箋ＩＤ３０１が含まれているエントリを検索する。このエントリは、ファシリテーターによる電子付箋の移動操作に応じてグルーピングされた、電子付箋のグループごとに生成・格納されたものである。
【００４６】
図８に、本実施形態における付箋グループ情報格納部２０３に格納されるデータの内容及びデータ構造の一例を示す。付箋グループ情報格納部２０３には、所定会議に関する電子付箋に対応した付箋データのグループ数と、各グループに所属する付箋データのリストが格納されている。
【００４７】
こうした付箋グループ情報格納部２０３は、グループ数５０１と、グループＩＤ５０２と、所属付箋ＩＤ５０３とが格納される。このうちグループ数５０１は、グループの総数の値である。また、グループＩＤ５０２は、グループ情報を一意に特定するためのＩＤである。また、所属付箋ＩＤ５０３は、各グループに所属する付箋データの付箋ＩＤ３０１のリストである。
【００４８】
こうした付箋グループ情報格納部２０３での検索の結果、エントリが見つからなかった場合、付箋グループ検出部２１２は、移動処理の対象となった電子付箋は、グループに所属していない電子付箋であったと判定し（Ｓ６００：ｎ）、処理をステップＳ６０２に遷移させる。
【００４９】
他方、上述の検索の結果、エントリが見つかった場合、付箋グループ検出部２１２は、移動処理の対象となった電子付箋は、グループに所属している電子付箋であると判定し（Ｓ６００：ｙ）当該電子付箋の付箋データを、所属するグループから除外する（Ｓ６０１）。
【００５０】
当該ステップＳ６０１における付箋グループ検出部２１２は、具体的には、付箋グループ情報格納部２０３における当該エントリにて、所属付箋ＩＤ５０３の値中から、移動処理の対象となった電子付箋を示す付箋ＩＤ３０１を削除する。なお、当該削除に伴い、対象となるエントリの所属付箋ＩＤ５０３における付箋ＩＤ３０１の個数が１個になった場合、付箋グループ検出部２１２は、当該エントリを付箋グループ情報格納部２０３から削除すると共に、グループ数５０１の値を１つ減じる。
【００５１】
続いて、付箋グループ検出部２１２は、移動処理の対象となった電子付箋の近傍に存在する、他の電子付箋の付箋データを検出する（Ｓ６０２）。
【００５２】
当該ステップＳ６０２における付箋グループ検出部２１２は、具体的には、移動処理の対象となった電子付箋と他の電子付箋それぞれの距離を、Ｘ座標３０３及びＹ座標３０４の各値に基づき算出し、当該算出した距離が予め定めた閾値より小さい他の電子付箋を、当該近傍に存在する他の電子付箋と特定する。
【００５３】
続いて、付箋グループ検出部２１２は、上述のステップＳ６０２で特定した、近傍に存在する他の電子付箋の数、すなわち付箋データの数を算出する（Ｓ６０３）。ここで算出した付箋データ数が０個の場合（Ｓ６０３：０個）、付箋グループ検出部２１２は、移動処理の対象となった電子付箋は、どのグループにも属さないとみなし、当該フローを終了する。
【００５４】
一方、上述で算出した付箋データ数が１個の場合（Ｓ６０３：１個）、付箋グループ検出部２１２は、処理をステップＳ６０５に遷移させる。
【００５５】
他方、上述で算出した付箋データ数が２個以上の場合（Ｓ６０３：２個以上）、付箋グループ検出部２１２は、Ｓ６０２で特定した他の電子付箋それぞれについて、移動履歴格納部２０２における移動時刻４０７の値を比較し、当該他の電子付箋のうち最も直前に移動が行われた電子付箋を特定する（Ｓ６０４）。
【００５６】
続いて、付箋グループ検出部２１２は、Ｓ６０２またはＳ６０４で特定した他の電子付箋が、グループに所属するか判定する（Ｓ６０５）。当該判定は、具体的には、付箋グループ情報格納部２０３の各エントリにおける所属付箋ＩＤ５０３の値中に、当該他の電子付箋の付箋ＩＤが含まれているか、すなわちグループに所属するか、判定することになる。
【００５７】
上述の判定の結果、Ｓ６０２またはＳ６０４で特定した他の電子付箋が、グループに所属することが判明した場合（Ｓ６０５：ｙ）、付箋グループ検出部２１２は、移動処理の対象となった電子付箋の付箋データを、Ｓ６０２またはＳ６０４で特定した他の電子付箋が所属するグループに追加し、当該フローを終了する（Ｓ６０６）。
【００５８】
当該ステップＳ６０６における付箋グループ検出部２１２は、具体的には、付箋グループ情報格納部２０３の各エントリのうち、当該他の電子付箋に関するエントリ（当該付箋データの付箋ＩＤ３０１が所属付箋ＩＤ５０３に格納されているエントリ）において、所属付箋ＩＤ５０３の値として、移動処理の対象となった電子付箋の付箋ＩＤ３０１を追加する。
【００５９】
他方、上述の判定の結果、Ｓ６０２またはＳ６０４で特定した他の電子付箋が、グループに所属しないことが判明した場合（Ｓ６０５：ｎ）、付箋グループ検出部２１２は、移動処理の対象となった電子付箋と当該他の電子付箋の２つの付箋データから成るグループを新たに作成し（Ｓ６０７）、当該フローを終了する。
【００６０】
当該ステップＳ６０７における付箋グループ検出部２１２は、具体的には、付箋グループ情報格納部２０３において新規のエントリを登録し、当該エントリのグループＩＤ５０２として、未登録のグループＩＤ５０２の値を所定ルールで生成して格納する。また付箋グループ検出部２１２は、移動処理の対象となった電子付箋と当該他の電子付箋の各付箋ＩＤ３０１を、上述のエントリにおける所属付箋ＩＤ５０３の値として格納する。
【００６１】
なお、付箋グループ検出部２１２は、こうした新規のエントリを付箋グループ情報格納部２０３に登録する処理に伴い、グループ数５０１の値を１つ加算するものとする。
−−−フロー例２−−−
【００６２】
続いて、話題変化点検出部２１３によるフローについて説明する。図９は、話題変化点検出部２１３によって行われる処理フローの例を示す図である。ここで、話題変化点検出部２１３は、上述のフロー例１における付箋グループ検出部２１２の処理終了を受けて当該フローを開始するものとする。
【００６３】
当該フローにおける話題変化点検出部２１３は、まず、上述の付箋グループ検出部２１２の処理により、グループ数に増減があったか判定する（Ｓ８０１）。
【００６４】
当該ステップＳ８０１における話題変化点検出部２１３は、具体的には、付箋グループ検出部２１２によって行われる処理フローの実行前と実行後において、付箋グループ情報格納部２０３におけるグループ数５０１の値に増減があったかを判定することとなる。当然ながら、こうした処理に先立ち、付箋グループ検出部２１２は、上述のフロー例１の実行前後におけるグループ数５０１の値を、主記憶装置１０２または補助記憶装置１０３に保持しているものとする。
【００６５】
上述の判定の結果、グループ数に増減があったことが判明した場合（Ｓ８０１：ｙ）、話題変化点検出部２１３は、上述のフロー例１において移動処理の対象となった電子付箋のエントリを付箋移動履歴格納部２０２で参照して、当該エントリの移動時刻４０７の値を抽出し、当該値を話題変化点７０２の値としたエントリを、話題変化点格納部２０４に格納する（Ｓ８０２）。
【００６６】
図１０にて、話題変化点格納部２０４におけるデータの内容及びデータ構造の一例を示す。図１０で例示する話題変化点格納部２０４には、変化点ＩＤ７０１および話題変化点７０２の各値が格納される。
【００６７】
このうち変化点ＩＤ７０１は、上述のステップＳ８０２で格納した話題変化点の値を含むエントリ、すなわち話題変化点を一意に特定するＩＤである。また、話題変化点７０２は、当該話題変化点の値として上述のステップＳ０８２で抽出した移動時刻４０７の値である。
−−−フロー例３−−−
【００６８】
続いて、会議内容表示部２２３によるフローについて説明する。図１１は本実施形態の会議内容表示部２２３が行う処理フローの例を示す図である。ここで、会議内容表示部２２３は、上述のフロー例２における話題変化点検出部２１３の処理終了を受けて、または、ファシリテーターからの所定指示を入力装置１０４で受けて、当該フローを開始するものとする。
【００６９】
当該フローにおける会議内容表示部２２３は、まず、付箋データ格納部２０１および付箋移動履歴格納部２０２に基づき、電子付箋の登録時点（付箋データ格納部２０１の情報）からの、移動時刻４０７の値が示す時系列上での各電子付箋の移動履歴を特定する（Ｓ１１００）。この処理において、電子付箋の登録時のＸ座標３０３、Ｙ座標３０４の位置から、各移動時刻４０７に生じた移動処理で該当電子付箋が移動先Ｘ座標４０４、移動先Ｙ座標４０６の位置に遷移した情報を特定出来る。
【００７０】
続いて会議内容表示部２２３は、上述のステップＳ１１００で特定した移動履歴のうち、話題変化点検格納部２０４における各話題変化点の値が示す時刻を移動時刻４０７の値としているものを、話題変化点が生じた移動履歴として特定する（Ｓ１１０１）。
【００７１】
また会議内容表示部２２３は、上述のステップＳ１１０１で特定した、話題変化点が生じた移動履歴、すなわち付箋移動履歴格納部２０２の該当エントリが示す、移動付箋ＩＤ４０２、移動元Ｘ座標４０３、移動元Ｙ座標４０４、移動先Ｘ座標４０５、および移動先Ｙ座標４０６、の各値に基づき、該当エントリの移動時刻４０７すなわち話題変化点での、該当電子付箋の配置位置を再現し、出力装置１０５にて表示する（Ｓ１１０２）。
【００７２】
図１２は、会議内容表示部２２３における画面表示の例を示す図である。当該図５にて示す画面１１００は、付箋表示部１００１、電子付箋１０１１〜１０１４、話題変化点表示部１１０１、および話題変化点選択部１１０２とから構成される。会議内容表示部２２３は、話題変化点選択部１１０２により指定された話題変化点の前後における付箋表示部１００１の状態を再現し、表示する。
【００７３】
話題変化点表示部１１０１には、現在表示されている付箋表示部１００１の状態が、どの話題変化点に対応したものであるかを表示する。例えば、図１２に示すように、話題変化点の総数と、時間順に何番目の話題変化点に関する付箋表示部１００１の状態が表示されているかを表示する。
【００７４】
話題変化点選択部１１０２は、ファシリテーターたるユーザからの入力を、入力装置１０４を介して受け取り、表示対象とする話題変化点の切り替えを行う。例えば、話題変化点選択部１１０２はボタンである。当該話題変化点選択部１１０２のユーザ操作により、表示対象とする話題変化点を切り替えた際の画面表示の変化例を図１３に示す。
【００７５】
図１３は、表示対象とする話題変化点を切り替えた際の、画面表示の変化を示す図である。例えば、画面１２０２から画面１２０３にかけて、「高齢化の進展」という電子付箋１２０２１の移動により、「高齢化の進展」、「労働人口の減少」という２つの電子付箋１２０２１、１２０２２から成るグループが新たに生成され、話題変化点として登録される。そのため、画面１２０２では、この話題変化点における直前の状態が表示されている。
【００７６】
以上で説明したように、電子付箋の相対的な位置と電子付箋の移動が発生した時間とに基づいて、話題の切り替わりを話題変化点として高精度に検知し、当該話題変化点における電子付箋の状態をそれぞれ表示することで、会議の振り返りを容易に行うことができる。
−−−第１の変形例−−−
【００７７】
次に、本実施形態の第１の変形例について説明する。この第１の変形例では、上述の実施形態に対して、「通常」の付箋データだけでなく、複数の「通常」の付箋データらが示す意図を集約した「要約」の付箋データを生成することを可能にし、当該「通常」および「要約」の各付箋データの種別を考慮して、話題変化点を検知する。以下、上述の実施形態と相違する点を中心に説明し、同様の点については説明を省略する。
【００７８】
図１４は、付箋登録部２２１の画面表示の例を示す図である。当該図１４にて示す画面１５００は、本文入力部９０１と登録実行部９０２と通常・要約選択部１５０１とを有する。ユーザは、この画面１５００にて、電子付箋の付箋データを入力し、付箋データ格納部２０１に登録する操作を行うこととなる。
【００７９】
当該画面１５００における通常・要約選択部１５０１は、本文入力部９０１での入力内容が要約かどうか、すなわち当該画面１５００で入力し付箋データ格納部２０１に登録する付箋データの種別が、「通常」か「要約」のいずれかであるかの選択を、ユーザから受け付けるインタフェースである。
【００８０】
また、登録実行部９０２は、ユーザの登録実行命令を受付けるインタフェースである。付箋登録部２２１は、ユーザによる登録実行部９０２の押下に応じて、通常・要約選択部１５０１で選択された種別情報と、本文入力部９０１で入力された本文とを有する付箋データを、付箋データ格納部２０１に格納する。つまり、ユーザが登録実行部３０２のボタンを操作した場合、付箋登録部２２１によって付箋データが付箋データ格納部２０１に格納される。
【００８１】
図１５は、当該第１の変形例において付箋データ格納部２０１に格納されるデータの内容及びデータ構造の一例を説明する図である。当該第１の変形例における付箋データ格納部２０１には、上述のとおり「通常」、「要約」の種別情報が紐付いた付箋データが、上述のとおり付箋登録部２２１によって格納される。
【００８２】
当該付箋データ格納部１３０１には、付箋ＩＤ３０１をキーとして、種別１３０１、本文３０２、Ｘ座標３０３、およびＹ座標３０４の各値が対応付けされたエントリが格納される。
【００８３】
このうち種別１３０１は、付箋登録部２２１でユーザの入力から取得した付箋データの種別を示す、「通常」または「要約」の値である。上述の実施形態では各付箋データの種別は「通常」のみであるが、当該第１の変形例では「要約」の種別が追加される。
【００８４】
図１６に、当該第１の変形例における、付箋グループ検出部２１２によって行われる処理フローの例を示す。当該フローにおいて、付箋グループ検出部２１２は、移動処理の対象となった電子付箋の種別を、付箋データ格納部２０１（図１５のもの）における当該電子付箋の付箋データが示す種別１３０１の値に基づき判別する（Ｓ１４０１）。
【００８５】
当該判別の結果、当該電子付箋の種別が「通常」であることが判定した場合（Ｓ１４０１：通常）、付箋グループ検出部２１２は、上述の実施形態と同じ処理を行う（Ｓ６００〜Ｓ６０７）。
【００８６】
他方、上述の判別の結果、当該電子付箋の種別が「要約」であることが判定した場合（Ｓ１４０１：要約）、付箋グループ検出部２１２は、当該移動処理の対象となった「要約」の電子付箋（以後、要約電子付箋）に最も近い、種別が「通常」の他の電子付箋（以後、通常電子付箋）と、他の要約電子付箋に最も近い通常電子付箋とが、同じグループに属しているか判定する（Ｓ１４０２）。
【００８７】
当該ステップＳ１４０２における付箋グループ検出部２１２は、具体的には、移動処理の対象となった要約電子付箋から最も近い、通常電子付箋（の付箋ＩＤ）が（所属付箋ＩＤ５０３中に）属するグループＩＤ５０２と、他の要約電子付箋から最も近い通常電子付箋（の付箋ＩＤ）が（所属付箋ＩＤ５０３中に）属するグループＩＤ５０２とが一致するケースがあるか、付箋グループ情報格納部２０２にて検索する。
【００８８】
上述の判定の結果、当該移動処理の対象となった要約電子付箋に最も近い通常電子付箋と、他の要約電子付箋に最も近い通常電子付箋とが、同じグループに属しているケースが存在しないことが判明した場合（Ｓ１４０２：ｎ）、付箋グループ検出部２１２は当該フローを終了する。
【００８９】
他方、上述の判定の結果、当該移動処理の対象となった要約電子付箋に最も近い通常電子付箋と、他の要約電子付箋に最も近い通常電子付箋とが、同じグループに属していることが判明した場合（Ｓ１４０２：ｙ）、付箋グループ検出部２１２は、当該他の要約電子付箋を含むグループに属する通常電子付箋を、当該移動処理の対象となった要約電子付箋および当該他の要約電子付箋のそれぞれに近い２つのグループに分割する（Ｓ１４０３）。
【００９０】
当該ステップＳ１４０３における付箋グループ検出部２１２は、具体的には、付箋グループ情報格納部２０３のデータに新規エントリを追加し、当該エントリに存在しないグループＩＤ５０２を格納する。また付箋グループ検出部２１２は、上述の通常電子付箋間で一致するグループの所属付箋ＩＤ５０２から、移動処理の対象となった要約子付箋に近い通常電子付箋の付箋ＩＤ３０１を削除し、新規エントリの所属付箋ＩＤ５０３に追加する。
【００９１】
また、こうした一連の処理の結果、付箋グループ情報格納部２０３におけるエントリ数が１つ増えた場合、付箋グループ検出部２１２は、グループ数５０１の値を１つ増加させる。
【００９２】
なお、付箋グループ検出部２１２は、上述のステップＳ１４０３の結果、該当グループの所属付箋ＩＤが１個になる場合、そのグループのエントリを付箋グループ情報格納部２０３から削除する。
【００９３】
以上で説明したように、「通常」および「要約」といった電子付箋の種別を考慮して、話題の切り替わりを話題変化点として高精度に検知し、話題変化点における付箋の状態をそれぞれ表示することで、会議の振り返りを容易に行うことができる。
−−−第２の変形例−−−
【００９４】
次に、本実施形態の第２の変形例について説明する。この第２の変形例では、上述の実施形態に対して、ユーザによる電子付箋のグルーピング操作を可能にし、当該グルーピングの操作を考慮して、話題変化点を検知するものとする。以下、上述の実施形態と相違する点を中心に説明し、同様の点については説明を省略する。
【００９５】
当該第２の変形例における付箋移動処理部２１１は、付箋編集部２２２から電子付箋のグルーピング操作に関する情報も受け取り可能である。具体的には、付箋移動処理部２１１は、ユーザによる所定のグルーピング操作が入力装置１０４にて行われた場合に、グルーピング対象とされた電子付箋の付箋データの付箋ＩＤ３０１のリストを付箋編集部２２２から受け取り、付箋グループ検出部２１２に通知する。
【００９６】
図１７は、付箋グループ検出部２１２によって行われる処理フローの例を示す図である。当該フローにおいて、付箋グループ検出部２１２は、入力装置１０４で受けたユーザ操作がグルーピング操作か電子付箋の移動操作か判定する（Ｓ１６０１）。
【００９７】
上述の判定の結果、電子付箋の移動操作であることが判明した場合（Ｓ１６０１：ｎ）、付箋グループ検出部２１２は、上述の実施形態と同じ処理を行う（Ｓ６００〜Ｓ６０７）。
【００９８】
他方、上述の判定の結果、グルーピング操作であることが判定した場合（Ｓ１６０１：ｙ）、付箋グループ検出部２１２は、当該グルーピング操作により指定された電子付箋群からなるグループを新たに作成する（Ｓ１６０２）。
【００９９】
当該ステップＳ１６０２における付箋グループ検出部２１２は、具体的には、付箋グループ情報格納部２０３に新規エントリを追加し、当該新規エントリに対し、存在しないグループＩＤ５０２を格納する。また付箋グループ検出部２１２は、グルーピング対象とされた電子付箋群の各付箋データの付箋ＩＤ３０１を、上述の新規エントリの所属付箋ＩＤ５０３に追加する。また一方で、付箋グループ検出部２１２は、当該電子付箋群の各付箋データの付箋ＩＤ３０１を、別のグループに関するエントリの所属付箋ＩＤ５０３から削除する。当該削除によって、所属付箋ＩＤ５０３に属する付箋の数が１個になった場合、付箋グループ検出部２１２は、該当グループのエントリを付箋グループ情報格納部２０３から削除する。こうした一連の処理によって、付箋グループ情報格納部２０３のエントリ数すなわちグループ数が変化した場合、付箋グループ検出部２１２は、当該変化に応じて、グループ数５０１の値を更新する。
【０１００】
図１８は、当該第２の変形例における付箋編集部２２２の画面表示の例を示す図である。当該図１８にて示す画面１７００は、付箋表示部１００１と電子付箋１０１１〜１０１４とを有する。
【０１０１】
付箋編集部２２２は、当該画面１７００においてグルーピングに関するユーザからの入力を受け取る。例えば、ユーザの入力はマウスのドラッグにより行う。例えば、ユーザがマウスを操作して電子付箋１０１３と電子付箋１０１４を囲うようにドラッグすることで、電子付箋１０１３と電子付箋１０１４をグルーピング対象の電子付箋群として指定する。グルーピング対象の電子付箋群とされた電子付箋１０１３と電子付箋１０１４の情報は、付箋編集部２２２から付箋移動処理部２１１に送られる。
【０１０２】
以上で説明したように、ユーザによるグルーピング操作を考慮して、話題の切り替わりを話題変化点として高精度に検知し、話題変化点における付箋の状態をそれぞれ表示することで、会議の振り返りを容易に行うことができる。
−−−第３の変形例−−−
【０１０３】
続いて、本実施形態の第３の変形例について説明する。この第３の変形例では、上述の実施形態に対して、移動処理の対象となった電子付箋について上述のグループ割当てやグループ生成がなされたとしても、表示上では該当電子付箋間の距離がさほど近くない、或いは、他にも近距離の電子付箋が存在する（但し、グループ化の対象にはならなかった）、といった、電子付箋のグループが視覚的には判然としない状況に対処し、グループ化された電子付箋について明示するものとする。
【０１０４】
以下、上述の実施形態と相違する点を中心に説明し、同様の点については説明を省略する。図１９は、本実施形態の付箋グループ検出部が行う処理フローの例を示す図である。
【０１０５】
この場合、付箋グループ検出部２１２は、上述の実施形態で述べた移動処理の後の電子付箋と、グループへの割当てまたは新たなグループの生成の対象となった上述の他の電子付箋との距離を算定する（Ｓ１９００）。
【０１０６】
当該ステップＳ１９００における付箋グループ検出部２１２は、具体的には、移動処理後の電子付箋のＸ座標、Ｙ座標の各値として、付箋移動履歴格納部２０２における当該電子付箋のエントリから、移動先Ｘ座標４０５、移動先Ｙ座標４０６の各値を取得する。
【０１０７】
また付箋グループ検出部２１２は、上述の他の電子付箋のＸ座標、Ｙ座標の各値として、付箋移動履歴格納部２０２における当該他の電子付箋のエントリから、移動先Ｘ座標４０５、移動先Ｙ座標４０６の各値を取得する。なお、当該他の電子付箋のエントリが付箋移動履歴格納部２０２に存在しなかった場合、付箋グループ検出部２１２は、付箋データ格納部２０１で当該他の電子付箋のエントリを特定し、当該エントリからＸ座標３０３、Ｙ座標３０４の各値を取得する。
【０１０８】
また付箋グループ検出部２１２は、上述のように得たＸ座標、Ｙ座標の各値に基づき、当該電子付箋と当該他の電子付箋との間の距離を算定する。座標間の距離の算定手法は既存手法を採用すれば良い。
【０１０９】
次に、付箋グループ検出部２１２は、ステップＳ１９００で算定した距離を所定基準と比較し、当該距離がこの所定基準を超えるか判定する（Ｓ１９０１）。
【０１１０】
上述の判定の結果、当該電子付箋と当該他の電子付箋との距離が所定基準を超えないことが判明した場合（Ｓ１９０２：ｎ）、当該フローを終了する。
【０１１１】
他方、上述の判定の結果、当該電子付箋と当該他の電子付箋との距離が所定基準を超えることが判明した場合（Ｓ１９０２：ｙ）、視覚的に当該電子付箋群（当該電子付箋と当該他の電子付箋）はグループ化していることが判然としない状況と特定し、当該電子付箋の配置位置を、当該他の電子付箋から上述の所定基準の距離範囲の位置まで移動させ（Ｓ１９０３）、当該フローを終了する。
【０１１２】
当該ステップＳ１９０３における付箋グループ検出部２１２は、具体的には、当該電子付箋および当該他の電子付箋のそれぞれのＸ座標、Ｙ座標の各値（いずれもＳ１９００で取得済）に基づき、例えば、当該電子付箋のＸ座標、Ｙ座標の各値が、当該他の電子付箋のＸ座標、Ｙ座標の各値に接近するよう、所定値を加算ないし減算する。この所定値は、例えば、電子付箋間のＸ座標の差の１／３や１／４などといった値を想定出来る。これはＹ座標に関しても同様である。
【０１１３】
また付箋グループ検出部２１２は、上述の値を加算ないし減算した当該電子付箋のＸ座標、Ｙ座標の各値と、当該他の電子付箋のＸ座標、Ｙ座標の各値とに基づき、当該電子付箋と当該他の電子付箋との間の距離をあらためて算定する。
【０１１４】
付箋グループ検出部２１２は、上述の値の加算ないし減算の処理と、その後の距離算定の処理を、当該算定した距離が上述の所定基準以下になるまで、繰り返す。
【０１１５】
図２０に本実施形態の付箋編集部の画面表示の例を示す図である。図２０に示す画面２０００の場合、ファシリテーターは、付箋表示部１００１の電子付箋１０１１〜１０１４のうち電子付箋１０１４を、マウス操作にて当初位置から経路１０１６に沿ってドラッグさせ、所望の移動先まで移動させたものとしている。また、この移動の結果、電子付箋１０１４は電子付箋１０１３と新たなグループを生成することとなったとする。但し、グループ生成はなされたものの、視覚的には、電子付箋１０１３と電子付箋１０１４とが同じグループに所属することが判然としない距離に配置されている。
【０１１６】
そこで上述の第３の変形例における付箋グループ検出部２１２の処理により、画面２００１に示すように、電子付箋１０１４の配置位置を、他の電子付箋たる電子付箋１０１３から上述の所定基準の距離範囲の位置まで移動した。これにより、電子付箋１０１４は電子付箋１０１３と十分接近した位置に配置され、両者が同じグループに所属することが、視覚的にも明らかとなる。
【０１１７】
以上、本発明に係る実施形態の説明を行ってきたが、本発明は、上記した実施形態の一例に限定されるものではなく、様々な変形例が含まれる。例えば、上記した実施形態の一例は、本発明を分かり易くするために説明するために詳細に説明したものであり、必ずしも説明した全ての構成を備えるものに限定されるものではない。また、実施形態の構成の一部を他の構成に置き換えることが可能であり、また、ある実施形態の構成に他の構成を加えることも可能である。
【０１１８】
本実施形態の電子会議管理装置によれば、電子会議における議論の要点を高精度に捉え、当該議論の振り返りを容易にすることが可能となる。
【０１１９】
本明細書の記載により、少なくとも次のことが明らかにされる。すなわち、本実施形態の電子会議管理装置において、前記付箋グループ検出部は、前記移動処理を行った電子付箋から所定距離以内に存在する他の電子付箋を特定し、当該特定した他の電子付箋が、所定グループに所属している場合、当該電子付箋を前記他の電子付箋の所属グループへと割当て、前記他の電子付箋が所定グループに所属していない場合、当該電子付箋と前記他の電子付箋からなる新たなグループを生成するものである、としてもよい。
【０１２０】
これによれば、電子付箋の操作を行うユーザが、特段のグループ指定動作を行わずとも、当該電子付箋を移動させるのみで、適宜なグルーピング処理が可能となる。
【０１２１】
また、本実施形態の電子会議管理装置において、前記付箋グループ検出部は、前記移動処理を行った電子付箋から所定距離以内に存在する他の電子付箋が複数存在した場合、前記他の電子付箋のうち直近で移動が行われたものの所属するグループに、当該電子付箋を割り当てるものである、としてもよい。
【０１２２】
これによれば、電子付箋の操作を行うユーザが、特段のグループ指定動作を行わずとも、当該電子付箋を移動させるのみで、移動先付近に存在するグループのうち会議における話題性が最新のものに効率的なグルーピングを行うことが可能となる。
【０１２３】
また、本実施形態の電子会議管理装置において、前記付箋グループ検出部は、前記移動処理を行った電子付箋が所定種別の電子付箋である場合、当該電子付箋から所定距離以内に存在する他の電子付箋を特定し、当該特定した他の電子付箋が、前記所定種別と同一種別の他の電子付箋のグループに所属している場合、前記特定した他の電子付箋を当該グループから分離し、当該分離した電子付箋と前記移動処理を行った電子付箋からなる新たなグループを生成するものである、としてもよい。
【０１２４】
これによれば、複数電子付箋の要約を示す種別の電子付箋に対する操作を行うユーザが、特段のグループ指定動作を行わずとも、当該要約種別の電子付箋を移動させるのみで、当該要約種別の電子付箋の移動先付近に存在する、要約種別の他の電子付箋に紐付くグループ中の一般の電子付箋と、上述の移動対象の要約種別の電子付箋とを適宜にグルーピングしてグループ分割を行うことが可能となる。
【０１２５】
また、本実施形態の電子会議管理装置において、前記付箋グループ検出部は、所定装置から受け付けた、電子付箋群に対するグルーピング操作に応じ、当該電子付箋群で構成されるグループを生成する処理を行うものである、としてもよい。
【０１２６】
これによれば、グループを明確に指定したいユーザの指示に対応し、的確なグルーピング処理を迅速に実行可能となる。
【０１２７】
また、本実施形態の電子会議管理装置において、前記付箋グループ検出部は、前記移動処理の後の電子付箋と、前記所属グループへの割当てまたは前記新たなグループの生成の対象となった前記他の電子付箋との距離が、所定基準を超えるものであった場合、前記移動処理の後の電子付箋の配置位置を、前記他の電子付箋から前記所定基準の距離範囲の位置まで移動させる処理を行うものである、としてもよい。
【０１２８】
これによれば、移動処理の対象となった電子付箋について上述のグループ割当てやグループ生成がなされたとしても、表示上では該当電子付箋間の距離がさほど近くない、或いは、他にも近距離の電子付箋が存在する（但し、グループ化の対象にはならなかった）、といった、電子付箋のグループが視覚的には判然としない状況に対処し、グループ化された電子付箋について明示出来る。ひいては、電子会議における議論の要点を更に高精度に捉え、当該議論の振り返りをより容易にする。
【０１２９】
なお、本実施形態の電子会議管理方法における、前記電子会議管理装置が、前記付箋グループ検出処理において、前記移動処理を行った電子付箋から所定距離以内に存在する他の電子付箋を特定し、当該特定した他の電子付箋が、所定グループに所属している場合、当該電子付箋を前記他の電子付箋の所属グループへと割当て、前記他の電子付箋が所定グループに所属していない場合、当該電子付箋と前記他の電子付箋からなる新たなグループを生成する、としてもよい。
【０１３０】
また、本実施形態の電子会議管理方法における、前記電子会議管理装置が、前記付箋グループ検出処理において、前記移動処理を行った電子付箋から所定距離以内に存在する他の電子付箋が複数存在した場合、前記他の電子付箋のうち直近で移動が行われたものの所属するグループに、当該電子付箋を割り当てる、としてもよい。
【０１３１】
また、本実施形態の電子会議管理方法における、前記電子会議管理装置が、前記付箋グループ検出処理において、前記移動処理を行った電子付箋が所定種別の電子付箋である場合、当該電子付箋から所定距離以内に存在する他の電子付箋を特定し、当該特定した他の電子付箋が、前記所定種別と同一種別の他の電子付箋のグループに所属している場合、前記特定した他の電子付箋を当該グループから分離し、当該分離した電子付箋と前記移動処理を行った電子付箋からなる新たなグループを生成する、としてもよい。
【０１３２】
また、本実施形態の電子会議管理方法における、前記電子会議管理装置が、前記付箋グループ検出処理において、所定装置から受け付けた、電子付箋群に対するグルーピング操作に応じ、当該電子付箋群で構成されるグループを生成する処理を行う、としてもよい。
【０１３３】
また、本実施形態の電子会議管理方法における、前記電子会議管理装置が、前記付箋グループ検出処理において、前記移動処理の後の電子付箋と、前記所属グループへの割当てまたは前記新たなグループの生成の対象となった前記他の電子付箋との距離が、所定基準を超えるものであった場合、前記移動処理の後の電子付箋の配置位置を、前記他の電子付箋から前記所定基準の距離範囲の位置まで移動させる処理を行う、としてもよい。
【符号の説明】
【０１３４】
１００  電子会議管理装置
１０１  ＣＰＵ
１０２  主記憶装置
１０２１  電子会議管理プログラム
１０３  補助記憶装置
１０４  入力装置
１０５  出力装置
１０６  ネットワークインタフェース
１０７  バス
２０１  付箋データ格納部
２０２  付箋移動履歴格納部
２０３  付箋グループ情報格納部
２０４  話題変化点格納部
２１０  データ記憶部
２１１  付箋移動処理部
２１２  付箋グループ検出部
２１３  話題変化点検出部
２２１  付箋登録部
２２２  付箋編集部
２２３  会議内容表示部
９００  画面
１０００  画面
１００１  付箋表示部
１０１１〜１０１４  電子付箋
１１００  画面
１２０１〜１２０３  画面
１５００  画面
１７００  画面
２０００  画面
２００１  画面
【図１】
2018015992.tif 000003
【図２】
2018015992.tif 000004
【図３】
2018015992.tif 000005
【図４】
2018015992.tif 000006
【図５】
2018015992.tif 000007
【図６】
2018015992.tif 000008
【図７】
2018015992.tif 000009
【図８】
2018015992.tif 000010
【図９】
2018015992.tif 000011
【図１０】
2018015992.tif 000012
【図１１】
2018015992.tif 000013
【図１２】
2018015992.tif 000014
【図１３】
2018015992.tif 000015
【図１４】
2018015992.tif 000016
【図１５】
2018015992.tif 000017
【図１６】
2018015992.tif 000018
【図１７】
2018015992.tif 000019
【図１８】
2018015992.tif 000020
【図１９】
2018015992.tif 000021
【図２０】
2018015992.tif 000022
【国際調査報告】
2018015992.tif 000023
2018015992.tif 000024
2018015992.tif 000025